(57)【要約】【課題】両面原稿の第１面画像を１枚目フォーマット画像として、１枚目フォーマット合成機能により、両面原稿から直接合成コピーを得ること。【解決手段】１次記憶装置６５４から、あるいは１次記憶装置６５４を介して２次記憶装置６５８から、１枚目フォーマット画像とする両面原稿の第１面画像データ９３を読み出し、１次伸張部６５３により伸張する。伸張後の画像データ９４について、倍率を変更する場合には、変倍処理部６５９により倍率を変更し、書き込み時に画像回転の指示がある場合には、回転処理部６５１により９０度、１８０度または２７０度の角度で回転させる。このようにして得られた画像データ９５と、１枚目の両面原稿の第２面画像および２枚目以降の両面原稿画像とを、ＭＳＵ合成部６４０９により合成し、得られた画像データ９６を画像データ選択部６４１０を介して出力する。【選択図】      図１１
2004253837.tif 000002
【特許請求の範囲】
【請求項１】
複数の原稿を１枚ずつ順次搬送する搬送手段と、
搬送された原稿から原稿画像を読み取る読み取り手段と、
読み取った画像を記憶する記憶手段と、
１枚目の両面原稿の第１面画像をフォーマットとし、第２面画像および２枚目以降の両面原稿画像と重ね合わせて画像形成する画像形成手段と、
を具備することを特徴とする画像形成装置。
【請求項２】
前記画像形成手段は、転写紙の片面にのみ画像を形成することを特徴とする請求項１に記載の画像形成装置。
【請求項３】
前記画像形成手段は、転写紙の両面に画像を形成することを特徴とする請求項１に記載の画像形成装置。
【請求項４】
原稿の表面画像または裏面画像を回転して合成するための回転角度を設定する設定手段と、
設定された回転角度で表面画像または裏面画像を回転させる回転手段と、
をさらに具備することを特徴とする請求項１〜３のいずれか一つに記載の画像形成装置。
【請求項５】
前記回転手段は、原稿の表面画像を回転させることを特徴とする請求項４に記載の画像形成装置。
【請求項６】
前記回転手段は、原稿の裏面画像を回転させることを特徴とする請求項４に記載の画像形成装置。
【発明の詳細な説明】
【０００１】
【発明の属する技術分野】
本発明は、フォーマット画像合成機能を有する画像形成装置に関し、両面原稿から画像を作成する装置に適用して好適な技術に関する。
【０００２】
【従来の技術】
デジタル画像形成装置では、読み取り原稿画像を編集する種々の機能が存在する。また、近年、環境資源の問題等に鑑みて、コピーの消費量を抑えるため、初期設定を、両面コピーをおこなう設定とした装置もある。したがって、以前よりも、両面コピーが増えており、また両面原稿も増えている。
【０００３】
ところで、従来より、複数原稿を画像合成してコピーする合成機能を有するデジタル画像形成装置がある。合成機能としては、２枚の片面原稿の画像を合成する２枚合成機能や、１枚目原稿の画像と２枚目以降の原稿の画像とを合成する１枚目フォーマット合成機能などがある。また、画像合成とは少し異なるが、両面原稿を片面に集約コピーする機能がある（特許文献１参照）。
【０００４】
【特許文献１】
特開平５−３４７７０１号公報
【０００５】
【発明が解決しようとする課題】
しかしながら、従来のデジタル画像形成装置では、片面原稿から１枚目フォーマット合成をおこなう機能しかない。つまり、現状では、両面原稿の第１面画像を１枚目フォーマット画像とし、これと裏画像とを合成してコピーする機能はない。そのため、１枚目フォーマット合成をおこなう際には、両面原稿を一旦、片面コピーし、得られた２枚の片面原稿を１枚目フォーマット合成により合成する必要があり、手間がかかるという問題点がある。
【０００６】
本発明は、上記事情に鑑みてなされたもので、両面原稿の第１面画像を１枚目フォーマット画像として、１枚目フォーマット合成機能により、両面原稿から直接合成コピーを得ることができる画像形成装置を提供することを目的とする。
【０００７】
【課題を解決するための手段】
上述した課題を解決し、目的を達成するため、請求項１に記載の発明にかかる画像形成装置は、複数の原稿を１枚ずつ順次搬送する搬送手段と、搬送された原稿から原稿画像を読み取る読み取り手段と、読み取った画像を記憶する記憶手段と、１枚目の両面原稿の第１面画像をフォーマットとし、第２面画像および２枚目以降の両面原稿画像と重ね合わせて画像形成する画像形成手段と、を具備することを特徴とする。
【０００８】
この請求項１に記載の発明によれば、搬送手段により、複数の原稿が１枚ずつ順次搬送され、読み取り手段により、搬送された原稿から原稿画像が読み取られ、記憶手段により、読み取った画像が記憶され、画像形成手段により、１枚目の両面原稿の第１面画像をフォーマットとし、第２面画像および２枚目以降の両面原稿画像と重ね合わせて画像形成される。
【０００９】
また、請求項２に記載の発明にかかる画像形成装置は、請求項１に記載の発明において、前記画像形成手段は、転写紙の片面にのみ画像を形成することを特徴とする。
【００１０】
この請求項２に記載の発明によれば、画像形成手段により、転写紙の片面にのみ画像が形成される。
【００１１】
また、請求項３に記載の発明にかかる画像形成装置は、請求項１に記載の発明において、前記画像形成手段は、転写紙の両面に画像を形成することを特徴とする。
【００１２】
この請求項３に記載の発明によれば、画像形成手段により、転写紙の両面に画像が形成される。
【００１３】
また、請求項４に記載の発明にかかる画像形成装置は、請求項１〜３のいずれか一つに記載の発明において、原稿の表面画像または裏面画像を回転して合成するための回転角度を設定する設定手段と、設定された回転角度で表面画像または裏面画像を回転させる回転手段と、をさらに具備することを特徴とする。
【００１４】
この請求項４に記載の発明によれば、設定手段により、原稿の表面画像または裏面画像を回転して合成するための回転角度が設定され、回転手段により、設定された回転角度で表面画像または裏面画像が回転する。
【００１５】
また、請求項５に記載の発明にかかる画像形成装置は、請求項４に記載の発明において、前記回転手段は、原稿の表面画像を回転させることを特徴とする。
【００１６】
この請求項５に記載の発明によれば、回転手段により、原稿の表面画像が回転する。
【００１７】
また、請求項６に記載の発明にかかる画像形成装置は、請求項４に記載の発明において、前記回転手段は、原稿の裏面画像を回転させることを特徴とする。
【００１８】
この請求項６に記載の発明によれば、回転手段により、原稿の裏面画像が回転する。
【００１９】
【発明の実施の形態】
以下に添付図面を参照しながら、本発明にかかる画像形成装置の好適な実施の形態を詳細に説明する。
【００２０】
図１は、本発明にかかる画像形成装置の一例の全体を示す概略図である。図１に示すように、画像形成装置は、自動原稿送り装置（ＡＤＦ）１、原稿台２、給送ローラ３、給送ベルト４、排送ローラ５および原稿セット検知部７を備えている。これらは、複数の原稿を１枚ずつ順次搬送する搬送手段を構成する。
【００２１】
コピー動作時には、原稿束は、自動原稿送り装置１の原稿台２上に、原稿の画像面を上にして置かれる。操作部上のプリントキー４５（図２参照）が押下されると、給送ローラ３および給送ベルト４は、原稿束の一番下の原稿から順次１枚ずつ、コンタクトガラス６上の所定位置に給送する。画像形成装置には、読み取りユニット２１が設けられている。この読み取りユニット２１は、コンタクトガラス６上の原稿に対して、画像の読み取りをおこなう。
【００２２】
読み取りが終了すると、給送ベルト４および排送ローラ５は、原稿を排出する。さらに、原稿セット検知部７が、原稿台２につぎの原稿が載っていることを検知すると、画像形成装置は、先の原稿と同様に、つぎの原稿をコンタクトガラス６上に給送し、画像の読み取りをおこなう。給送ローラ３、給送ベルト４および排送ローラ５は、図示しない搬送モータによって駆動される。
【００２３】
また、画像形成装置には、第１トレイ８、第２トレイ９および第３トレイ１０、並びに第１給紙ユニット１１、第２給紙ユニット１２、第３給紙ユニット１３および縦搬送ユニット１４が設けられている。第１給紙ユニット１１、第２給紙ユニット１２および第３給紙ユニット１３は、それぞれ第１トレイ８、第２トレイ９および第３トレイ１０に積載された転写紙を縦搬送ユニット１４へ給紙する。縦搬送ユニット１４は、転写紙を感光体１５に当接する位置まで搬送する。
【００２４】
また、画像形成装置には、書き込みユニット２８が設けられている。書き込みユニット２８は、読み取りユニット２１にて読み込まれた画像データを、レーザによって感光体１５に書き込む。それによって感光体面上に形成された画像（静電潜像）が現像ユニット２０を通過することによって、トナー像が形成される。ここで、潜像とは、感光体面上に画像を、光情報に変換して照射することにより生じる電位分布である。
【００２５】
画像形成装置には、転写紙を感光体１５の回転と等速で搬送する搬送ベルト１６が設けられている。この搬送ベルト１６が転写紙を搬送する途中で、感光体１５上のトナー像が転写紙に転写される。また、画像形成装置には、定着ユニット１７および排紙ユニット１８が設けられている。トナー像が転写された転写紙が定着ユニット１７を通過することにより、画像が定着する。排紙ユニット１８は、定着ユニット１７を通過した転写紙を排紙トレイ１９へ排出する。
【００２６】
転写紙の両面に画像を作像する場合には、第１〜第３の給紙トレイ８〜１０のいずれかから給紙され、作像された転写紙を、排紙トレイ１９側に導かないで、一旦、両面給紙ユニット３２にストックする。このとき、経路切り替えのための第１分岐爪（以下、両面分岐爪とする）３３は上側にセットされる。その後、両面給紙ユニット３２にストックされた転写紙を、再び感光体１５に作像されたトナー画像を転写するために、両面給紙ユニット３２から再給紙する。このとき、両面分岐爪３３は下側にセットされる。
【００２７】
そして、画像形成装置に設けられた後処理装置３５を使用するモードがセットされている場合には、後処理装置３５に転写紙を排紙する。このとき、経路切り替えのための第２分岐爪（以下、排紙口分岐爪とする）３４は上側にセットされる。一方、後処理装置を使用しないモードがセットされている場合には、排紙口分岐爪３４が下側にセットされており、転写紙を排紙トレイ１９へ導くことになる。上述したように、両面給紙ユニット３２は、転写紙の両面に画像を作成する場合に使用される。
【００２８】
つぎに、画像形成装置の操作部について説明する。図２は、操作部の一例を示す概略図である。たとえば図２に示すように、操作部には、液晶タッチパネル４１、テンキー４２、初期設定キー４３、モードクリアキー４４、プリントキー４５およびクリア／ストップキー４６が設けられている。
【００２９】
図３は、液晶タッチパネル４１の一例を示す概略図である。たとえば図３に示すように、液晶タッチパネル４１には、濃度を自動設定するためのキー４１０１、濃度を濃くするためのキー４１０２、濃度を薄くするためのキー４１０３、転写紙の選択を自動的におこなうためのキー４１０４、横向きのＡ４用紙を選択するためのキー４１０５、縦向きのＡ４用紙を選択するためのキー４１０６、縦向きのＡ２用紙を選択するためのキー４１０７、変倍をおこなうためのキー４１０８、ソートをおこなうためのキー４１０９、１枚目フォーマット合成をおこなうためのキー４１１０、印字合成をおこなうためのキー４１１１、および両面原稿合成をおこなうためのキー４１１２などの機能を表す言葉が表示される。
【００３０】
この表示された部分に触れることによって、各画像形成モードの設定または解除をおこなうことができる。また、液晶タッチパネル４１には、設定した部数やコピー済み枚数を表示する表示部４１１４，４１１５、設定した倍率を表示する表示部４１１６、並びに画像形成装置の状態を表示する表示部４１１３があり、各表示部に数字やメッセージなどが表示される。
【００３１】
図７は、本発明にかかる画像形成装置の制御系の一例を示す概略ブロック図である。メインコントローラ５１は、画像形成装置全体を制御する。メインコントローラ５１には、オペレータに対する表示や、オペレータからの機能設定入力制御をおこなう操作部５３、原稿画像を画像メモリに書き込む制御や、画像メモリからの作像のための制御等をおこなう画像処理ユニット（ＩＰＵ）５２、スキャナ制御装置５７、紙折り等の後処理の制御をおこなう後処理制御装置５８、およびＩ／Ｏボード５６、などの分散制御装置が接続されている。各分散制御装置とメインコントローラ５１とは、必要に応じて機械の状態や動作司令などのやりとりをおこなっている。
【００３２】
操作部５３には、上述した液晶タッチパネル４１の液晶表示部５４や、液晶タッチパネル４１を含む操作部（図２参照）のキー入力部５５が接続されている。スキャナ制御装置５７には、読み取り原稿のサイズを検知するためのセンサ等からなる原稿サイズ検知部５９が接続されている。また、紙搬送等に必要なメインモータや、各種クラッチは、Ｉ／Ｏボード５６に接続されており、メインコントローラ５１によって、制御されている。
【００３３】
つぎに、図１を参照しながら、本発明における読み取り手段、および画像を記録面上に潜像形成するまでの動作について説明する。読み取り手段を構成する読み取りユニット２１は、原稿が載置されるコンタクトガラス６と、光学走査系により構成されている。光学走査系には、露光ランプ２２、第１ミラー２３、レンズ２４、ＣＣＤイメージセンサ２５などが配置されている。
【００３４】
露光ランプ２２および第１ミラー２３は、図示しない第１キャリッジ上に固定されている。また、第２ミラー２６および第３ミラー２７は、図示しない第２キャリッジ上に固定されている。原稿画像を読み取るときには、光路長が変わらないように、第１キャリッジと第２キャリッジとが２対１の相対速度で機械的に走査される。この光学走査系は、図示しないスキャナ駆動モータにて駆動される。原稿画像は、ＣＣＤイメージセンサ２５によって読み取られ、電気信号に変換されて処理される。
【００３５】
書き込みユニット２８は、レーザ出力ユニット２９、結像レンズ３０およびミラー３１により構成されている。レーザ出力ユニット２９の内部には、特に図示しないが、レーザ光源であるレーザダイオードと、モータによって高速で定速回転する回転多面鏡（ポリゴンミラー）が備わっている。
【００３６】
レーザ出力ユニット２９より照射されるレーザ光は、定速回転するポリゴンミラーで偏光され、結像レンズ３０を通り、ミラー３１で折り返され、感光体面上に集光結像する。偏光されたレーザ光は、感光体１５が回転する方向と直行する方向（主走査方向）に露光走査される。それによって、後述する画像処理部の画像データ選択部６４１０（図９参照）から出力された画像信号が、ライン単位で記録される。感光体１５の回転速度と記録密度に対応した所定の周期で主走査を繰り返すことによって、感光体面上に静電潜像の画像が形成される。
【００３７】
感光体１５の一端近傍のレーザビーム照射位置には、主走査同期信号を発生するビームセンサ（図示省略）が配置されている。この主走査同期信号に基づいて、主走査方向の画像記録開始タイミングの制御、および後述する画像信号の入出力をおこなうための制御信号が生成される。
【００３８】
つぎに、画像処理ユニット５２の構成について、図８を参照しながら説明する。図８に示すように、画像処理ユニット５２は、Ａ／Ｄコンバータ６１、シェーディング補正部６２、前段画像処理部６３、後段画像処理部６４、画像メモリコントローラ（ＭＳＵ）６５、中央処理装置（ＣＰＵ）６６、ＲＡＭ（ランダムアクセスメモリ）６７およびＲＯＭ（リードオンリーメモリ）６８を備えている。中央処理装置６６には、ＡＰＳ６９が接続されている。
【００３９】
露光ランプ２２（図１参照）から照射された光は、原稿面を照射し、そこで反射される。反射光は、結像レンズ（図示せず）によりＣＣＤイメージセンサ２５に結像される。ＣＣＤイメージセンサ２５は、受光した光を光電変換する。Ａ／Ｄコンバータ６１は、ＣＣＤイメージセンサ２５から得られた電気信号をデジタル信号に変換する。
【００４０】
シェーディング補正部６２は、デジタル信号に変換された画像信号に対してシェーディング補正をおこなう。前段画像処理部６３は、シェーディング補正部６２から供給された画像信号に対してフィルタ補正、変倍、色データ膨張およびγ補正等をおこなう。後段画像処理部６４は、前段画像処理部６３から供給された画像信号の送り先を、画像メモリコントローラ６５または書き込みユニット２８に切り替える。
【００４１】
画像メモリコントローラ６５と後段画像処理部６４は、双方向に画像信号を入出力可能な構成となっている。図８には特に明示されていないが、画像処理ユニットは、複数データの入出力選択をおこなう機能を有しており、読み取りユニット２１から入力される画像データ以外に、外部から供給される画像データ、たとえばパーソナルコンピュータ等のデータ処理装置から出力されるデータを処理することができる構成となっている。
【００４２】
中央処理装置６６は、画像メモリコントローラ６５等の設定や、読み取りユニット２１および書き込みユニット２８の制御をおこなう。また、中央処理装置６６は、画像メモリコントローラ６５を介して、画像メモリ等の１次記憶装置６５４（図１０参照）に対するデータの書き込みおよび読み出しをおこなうことができる。ＲＡＭ６７およびＲＯＭ６８は、中央処理装置６６により実行されるプログラムやデータを格納する。
【００４３】
つぎに、後段画像処理部６４について説明する。図９は、後段画像処理部６４と画像メモリコントローラ６５との関係を示す概略ブロック図である。図９に示すように、後段画像処理部６４は、スキャナマスク６４０１、色変換処理部６４０２、色消去処理部６４０３、画像反転処理部６４０４、印字合成処理部６４０５、印字コア６４０６、ＲＯＭ６４０７、ＲＡＭ６４０８、ＭＳＵ合成部６４０９、画像データ選択部６４１０および画質コア６４１１を備えている。
【００４４】
前段画像処理部６３より画像処理された画像データを読み込むときに、領域をマスクするスキャナマスク６４０１を介してモードに応じて色変換が必要な場合には、色変換処理部６４０２は色変換処理をおこなう。そして、色消去処理部６４０３は色消去処理をおこない、画像反転処理部６４０４はビット反転処理をおこない、印字合成処理部６４０５はページや日付けや特殊文字等を印字合成する。そのようにして得られた画像データは、無条件に画像メモリコントローラ６５にて保存される。
【００４５】
印字コア６４０６は、ページ印字のページを作成したり、スタンプ文字等、文字コードを取り出し印字を作成し、印字イメージデータを発生する。ＲＯＭ６４０７およびＲＡＭ６４０８は印字制御に関与している。ＭＳＵ合成部６４０９は、スキャナマスク６４０１から印字合成処理部６４０５に至る各種処理が施された画像データと、画像メモリコントローラ６５から供給された画像データとの合成をおこなう。つまり、ＭＳＵ合成部６４０９は、画像形成手段としての機能を有する。画像データ選択部６４１０は、画質コア６４１１に、スキャナマスク６４０１から印字合成処理部６４０５に至る各種処理が施された画像データ、画像メモリコントローラ６５から供給された画像データ、ＭＳＵ合成部６４０９により合成された画像データ、のいずれを出力するかの選択をおこなう。
【００４６】
つぎに、スキャナで読み込んだ画像データをメモリへ格納する際のデータの流れについて、図１０を参照しながら説明する。画像メモリコントローラ６５は、回転手段としての回転処理部６５１、１次圧縮部６５２、１次伸張部６５３、１次記憶装置６５４および２次記憶装置６５８からなる記憶手段としての画像メモリ、２次圧縮伸張部６５７、並びに変倍処理部６５９を備えている。これら各部への制御データの設定は、ＣＰＵ６６（図８参照）によりおこなわれる。
【００４７】
１次記憶装置６５４は、１次画像データを保存するメモリであり、たとえばＤＲＡＭ（ダイナミックランダムアクセスメモリ）などの高速アクセスが可能なメモリにより構成されている。これにより、１次記憶装置６５４に対して、指定した領域へのデータ書き込み、または画像出力時に指定した領域からのデータ読み出しを、画像データの入力時または出力時に要求されるデータ転送速度に略同期しておこなうことができる。また、１次記憶装置６５４は、処理をおこなう画像データの大きさにより複数のエリア、たとえばバンクＡ６５５とバンクＢ６５６に分割して、画像データの入出力を同時に実行可能な構成（画像メモリコントローラ６５とのインターフェース部）を有している。
【００４８】
２次記憶装置６５８は、入力された画像の合成やソーティングをおこなうためにデータを保存しておく大容量のメモリであり、たとえばＨＤ（ハードディスク）により構成されている。２次記憶装置６５８においても、１次記憶装置６５４と同様に、画像入出力時に要求されるデータ転送速度に略同期してデータの書き込みや読み出しをおこなうことが可能である。変倍処理部６５９は、伸張された登録画像に対して画像倍率の変更をおこなう。
【００４９】
つぎに、画像メモリコントローラ６５によるデータ処理について説明する。図１０は、スキャナで読み込んだ画像データを画像メモリへ格納する際のデータの流れを示す図である。図１０に示すように、画像入力（画像メモリへの保存）動作時には、前段画像処理部６３（図８参照）により画像加工された画像データ７１は、無条件にＭＳＵ合成部６４０９に供給され、そこで既に画像メモリに保存されているデータと合成される。
【００５０】
ＭＳＵ合成部６４０９によって処理された画像データ７１は、読み取り時に画像回転の指示がある場合には、画像データ７１を回転して保存するために、回転処理部６５１により９０度、１８０度または２７０度の角度で回転される。回転処理後の画像データ７２は、１次圧縮部６５２により圧縮される。その圧縮された画像データ７３は、１次記憶装置６５４に書き込まれる。また、１次記憶装置６５４に書き込まれた画像データ７４は、２次圧縮伸張部６５７によりさらに圧縮される。その圧縮された画像データ７５は、ＨＤ６５８に保存される。
【００５１】
図１１は、画像メモリから読み出された画像データを伸張、変倍して出力する際のデータの流れを示す図である。図１１に示すように、画像出力（画像メモリからの読み出し）動作時には、１次記憶装置６５４から、出力対象の画像データが読み出されるが、当該画像データが１次記憶装置６５４に格納されている場合と、格納されていない場合がある。出力対象となる画像データが１次記憶装置６５４に格納されている場合には、その画像データが１次記憶装置６５４から読み出される。
【００５２】
一方、出力対象となる画像データが１次記憶装置６５４に格納されていない場合には、出力対象の画像データは２次記憶装置６５８から読み出される。読み出された画像データ９１は、２次圧縮伸張部６５７により伸張される。その伸張された画像データ９２は、１次記憶装置６５４に書き込まれる。そして、１次記憶装置６５４に書き込まれ画像データ９２が、出力対象の画像データとして１次記憶装置６５４から読み出される。
【００５３】
１次記憶装置６５４から読み出された画像データ９３は、１次伸張部６５３により伸張される。伸張後の画像データ９４は、必要に応じて変倍処理部６５９により倍率を変更される。また、伸張後の画像データ９４または変倍後の画像データ９４は、書き込み時に画像回転の指示がある場合には、回転処理部６５１により９０度、１８０度または２７０度の角度で回転される。
【００５４】
１次記憶装置６５４から読み出され、必要に応じて変倍処理および回転処理が施された画像データ（合成前画像データとする）９５、またはその合成前画像データ９５と入力データとをＭＳＵ合成部６４０９により位相調整して合成することにより得られた画像データ（合成後画像データとする）９６は、画像データ選択部６４１０を介して出力される。
【００５５】
ここで、ＭＳＵ合成部６４０９は、合成後画像データ９６を画像データ選択部６４１０へ供給する機能のほかに、合成前画像データ９５または合成後画像データ９６を１次記憶装置６５４に書き込む機能を有している。そして、ＭＳＵ合成部６４０９は、画像データを画像データ選択部６４１０側と１次記憶装置６５４側のいずれか一方または同時に両方に出力することができる。
【００５６】
また、印字モードにおいては、ユーザーが必要に応じて任意のスタンプ用イメージを登録することができるように構成されている。スタンプイメージ登録モードになると、スキャナから読み込まれた画像は、２次記憶装置６５８に登録される。そして、ユーザーが必要なスタンプイメージを選択すると、その選択されたスタンプイメージデータが２次記憶装置６５８から読み出され、ＭＳＵ合成部６４０９に送られて原稿画像に合成される。
【００５７】
本来、１枚の原稿の画像に対して画像形成枚数が１枚の場合には、画像データを画像メモリに記憶する必要はない。しかし、要求する画像形成枚数が複数部の場合に、毎回原稿を読み取る必要がないことや、転写紙ジャム等が発生した場合に、再度原稿を読み取る必要がないことなどの利点を考慮して、本実施の形態では、スキャンして読み込んだ画像は無条件に１次記憶装置６５４や２次記憶装置６５８に保存されるようになっている。
【００５８】
つぎに、図１２〜図２３に示す具体例を挙げて、本実施の形態の画像形成装置により実現される機能について説明する。図１２の１０１は、両面原稿の表面画像であり、１枚目フォーマット原稿として利用される画像である。図１３の１０２と図１４の１０３は裏面画像であり、上下が逆になっている。
【００５９】
片面原稿から両面コピーする際には２通りの方法がある。第１の方法は、表面に対して裏面の画像が同一方向である左右開き両面コピーである。これに対応するのは、図１２の表面画像１０１と図１３の裏面画像１０２である。第２の方法は、表面に対して裏面の画像が１８０度回転している上下開き両面コピーである。これに対応するのは、図１２の表面画像１０１と図１４の裏面画像１０３である。
【００６０】
このように、両面コピーの方法には２通りの方法があるため、両面原稿も２通りある。すなわち、図１２の表面画像１０１に対して図１３の裏面画像１０２が左右開き両面原稿であり、表面画像１０１に対して図１４の裏面画像１０３が上下開き原稿である。つまり、表面から見た場合に、図１５に示す画像１０４の点線のように裏面画像１０２，１０３が透けて見えるのが左右開き両面原稿である。それに対して、表面から見た場合に、図１６に示す画像１０５の点線のように裏面画像１０２，１０３が透けて見えるのが上下開き両面原稿である。
【００６１】
自動原稿送り装置１に原稿をセットした際に、両面原稿の第１面、たとえば表面を１枚目フォーマット原稿として画像合成する場合、図３の１枚目フォーマット合成キー４１１０を押下することにより、液晶タッチパネル４１には、図４に示す下位画面が表示される。この下位画面において、原稿に応じて左右開き原稿キー４１２１または上下開き原稿キー４１２２を押下する。これによって、左右開き両面原稿であるか、上下開き両面原稿であるかが選択される。左右開き原稿キー４１２１または上下開き原稿キー４１２２の押下により、図６に示す下位画面が表示される。
【００６２】
また、両面原稿から片面コピーで合成したい場合には、図３で両面キー４１１２を押下することにより、図４に示す下位画面が表示されるので、原稿に応じて左右開き原稿キー４１２１または上下開き原稿キー４１２２を押下する。そして、図５に示す下位画面が表示されたら、両面片面キー４１３１を押下すればよい。両面原稿から両面コピーで合成したい場合には、同様に操作して、図５に示す下位画面において両面両面キー４１３２を押下すればよい。
【００６３】
図３の画面で１枚目フォーマット合成キー４１１０を押下した場合に、図６に示す下位画面において、第１面を画像回転させたい場合には、第１面画像回転キー４１４１を押下し、テンキー４１４３で画像回転角度を設定する。それによって、読み取った第１面画像が設定角度だけ回転する。また、第２面画像を画像回転させるには、第２面画像回転キー４１４２を押下し、テンキー４１４３で画像回転角度を設定すればよい。
【００６４】
図６において、＃と表示された確定キー４１４４は、画像回転角度を設定する際にテンキー入力を確定するキーである。したがって、第１面画像回転キー４１４１、第２面画像回転キー４１４２、テンキー４１４３および確定キー４１４４は、原稿の表面画像または裏面画像を回転して合成するための回転角度を設定する設定手段としての機能を有する。設定された画像回転角度は、表示部４１４５に表示される。
【００６５】
図１２および図１３に示す表面画像１０１および裏面画像１０２を有する両面原稿では、原稿を横セットする場合に画像回転角度を設定する必要がないので、０度を設定することにより、画像回転することなく、第１面画像を合成して図１７に示す合成画像１０６を得ることができる。それに対して、原稿を縦セットする場合は、画像回転角度を１８０度に設定することにより、１８０度画像回転して第１面画像を合成し、図１７に示す合成画像１０６を得ることができる。
【００６６】
また、図１２および図１４に示す表面画像１０１および裏面画像１０３を有する両面原稿では、原稿を横セットする場合、画像回転角度を１８０度に設定することにより、１８０度画像回転して第１面画像を合成し、図１７に示す合成画像１０６を得ることができる。それに対して、原稿を縦セットする場合は、画像回転角度を０度に設定することにより、画像回転することなく、第１面画像を合成して図１７に示す合成画像１０６を得ることができる。
【００６７】
以上のように両面原稿から第１面を１枚目フォーマット合成画像として合成する場合、第１面画像または第２面画像を指定した画像回転角度だけ画像回転することにより、左右開き両面原稿でも上下開き原稿でも、原稿の状態とセットする方向に応じて画像回転することにより、画像合成することができる。
【００６８】
また、両面原稿の第１面画像を１枚目フォーマット合成画像として両面原稿画像を合成して両面コピーを得る場合（両面両面コピーの場合）も同様である。たとえば、図１８および図１９に示す両面原稿１０７，１０８（点線は裏面画像の透かしである）の左右開き原稿の場合、原稿を横セットするときには、画像回転角度を設定する必要がない。したがって、画像回転角度として０度を設定し、図１８の両面原稿１０７の第１面を１枚目フォーマット合成画像として第２面以降を合成コピーすることにより、図２０に示す第１面画像１０９および図２１に示す第２面画像１１０を有する両面合成コピーを得ることができる。
【００６９】
２枚目以降の両面原稿に対しても１枚目フォーマット合成画像を合成することにより、図１９に示す両面原稿１０８に対して図２２に示す第１面画像１１１および図２３に示す第２面画像１１２を有する両面合成コピーを得ることができる。なお、上下開き両面原稿の場合については、説明を省略するが、左右開き原稿の場合と同様にコピーすることができる。
【００７０】
以上において本発明は、上述した実施の形態に限らず、種々変更可能である。
【００７１】
【発明の効果】
以上説明したように、請求項１に記載の発明によれば、搬送手段により、複数の原稿が１枚ずつ順次搬送され、読み取り手段により、搬送された原稿から原稿画像が読み取られ、記憶手段により、読み取った画像が記憶され、画像形成手段により、１枚目の両面原稿の第１面画像をフォーマットとし、第２面画像および２枚目以降の両面原稿画像と重ね合わせて画像形成されるので、第１面をフォーマット画像として、両面原稿から直接合成コピーすることができる画像形成装置が得られる。
【００７２】
また、請求項２に記載の発明によれば、請求項１に記載の発明において、画像形成手段により、転写紙の片面にのみ画像が形成されるので、第１面をフォーマット画像として、両面原稿から直接片面に合成コピーすることができる画像形成装置が得られる。
【００７３】
また、請求項３に記載の発明によれば、請求項１に記載の発明において、画像形成手段により、転写紙の両面に画像が形成されるので、第１面をフォーマット画像として、両面原稿から直接両面に合成コピーすることができる画像形成装置が得られる。
【００７４】
また、請求項４に記載の発明によれば、請求項１〜３のいずれか一つに記載の発明において、設定手段により、原稿の表面画像または裏面画像を回転して合成するための回転角度が設定され、回転手段により、設定された回転角度で表面画像または裏面画像が回転するので、両面原稿の表裏画像の関係を考慮して画像方向を合致させて、両面原稿から直接合成コピーすることができる画像形成装置が得られる。
【００７５】
また、請求項５に記載の発明によれば、請求項４に記載の発明において、回転手段により、原稿の表面画像が回転するので、両面原稿の表面画像の向きを裏面画像の向きに合致させて、両面原稿から直接合成コピーすることができる画像形成装置が得られる。
【００７６】
また、請求項６に記載の発明によれば、請求項４に記載の発明において、回転手段により、原稿の裏面画像が回転するので、両面原稿の裏面画像の向きを表面画像の向きに合致させて、両面原稿から直接合成コピーすることができる画像形成装置が得られる。
【図面の簡単な説明】
【図１】本発明にかかる画像形成装置の一例を示す概略図である。
【図２】本発明にかかる画像形成装置の操作部の一例を示す概略図である。
【図３】液晶タッチパネルの一例を示す概略図である。
【図４】液晶タッチパネルに表示される下位画面を示す図である。
【図５】ＬＣＤ表示部の両面キーを押下した場合にＬＣＤ表示部に表示される画面の一例を示す概略図である。
【図６】ＬＣＤ表示部の１枚目フォーマット合成キーを押下した場合にＬＣＤ表示部に表示される画面の一例を示す概略図である。
【図７】本発明にかかる画像形成装置の一例を示す概略ブロック図である。
【図８】本発明にかかる画像形成装置の画像処理ユニットの一例を示す概略ブロック図である。
【図９】画像処理ユニットの画像処理部と画像メモリコントローラとの関係を示す概略ブロック図である。
【図１０】本発明にかかる画像形成装置においてスキャナで読み込んだ画像データをメモリへ格納する際のデータの流れを説明する説明図である。
【図１１】本発明にかかる画像形成装置においてメモリから読み出された画像データを伸張、変倍して出力する際のデータの流れを説明する説明図である。
【図１２】本発明にかかる画像形成装置の機能を説明するための概略説明図である。
【図１３】本発明にかかる画像形成装置の機能を説明するための概略説明図である。
【図１４】本発明にかかる画像形成装置の機能を説明するための概略説明図である。
【図１５】本発明にかかる画像形成装置の機能を説明するための概略説明図である。
【図１６】本発明にかかる画像形成装置の機能を説明するための概略説明図である。
【図１７】本発明にかかる画像形成装置の機能を説明するための概略説明図である。
【図１８】本発明にかかる画像形成装置の機能を説明するための概略説明図である。
【図１９】本発明にかかる画像形成装置の機能を説明するための概略説明図である。
【図２０】本発明にかかる画像形成装置の機能を説明するための概略説明図である。
【図２１】本発明にかかる画像形成装置の機能を説明するための概略説明図である。
【図２２】本発明にかかる画像形成装置の機能を説明するための概略説明図である。
【図２３】本発明にかかる画像形成装置の機能を説明するための概略説明図である。
【符号の説明】
１  自動原稿送り装置
２  原稿台
３  給送ローラ
４  給送ベルト
５  排送ローラ
７  原稿セット検知部
６  コンタクトガラス
２１  読み取りユニット
２２  露光ランプ
２３  第１ミラー
２４  レンズ
２５  ＣＣＤイメージセンサ
２６  第２ミラー
２７  第３ミラー
６５４  １次記憶装置
６５８  ２次記憶装置
６４０９  ＭＳＵ合成部
４１４１  第１面画像回転キー
４１４２  第２面画像回転キー
４１４３  テンキー
４１４４  確定キー
６５１  回転処理部
【図１】
2004253837.tif 000003
【図２】
2004253837.tif 000004
【図３】
2004253837.tif 000005
【図４】
2004253837.tif 000006
【図５】
2004253837.tif 000007
【図６】
2004253837.tif 000008
【図７】
2004253837.tif 000009
【図８】
2004253837.tif 000010
【図９】
2004253837.tif 000011
【図１０】
2004253837.tif 000012
【図１１】
2004253837.tif 000013
【図１２】
2004253837.tif 000014
【図１３】
2004253837.tif 000015
【図１４】
2004253837.tif 000016
【図１５】
2004253837.tif 000017
【図１６】
2004253837.tif 000018
【図１７】
2004253837.tif 000019
【図１８】
2004253837.tif 000020
【図１９】
2004253837.tif 000021
【図２０】
2004253837.tif 000022
【図２１】
2004253837.tif 000023
【図２２】
2004253837.tif 000024
【図２３】
2004253837.tif 000025